【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
燃料電池と、
前記燃料電池が発電した電力を消費して動作する電力負荷と、
前記燃料電池の発電電力が前記電力負荷の消費電力より大きい場合に、前記燃料電池の電力を蓄電し、前記燃料電池の発電電力が前記電力負荷の消費電力より小さい場合に、蓄電した電力を放電することによって前記電力負荷に電力を供給する蓄電池と、
前記電力負荷の消費電力を増やす必要がある場合に、消費電力の増加量を示す電力要求情報を予め送信する要求制御部と、
前記要求制御部から電力要求情報を受け取った場合に、前記燃料電池が前記電力負荷に更に電力を供給することができることを条件として、前記電力負荷が消費電力を増加すべきタイミングを示す許可通知を送信する燃料電池制御部と、
前記燃料電池制御部から許可通知を受け取ったことを条件として、当該許可通知で示されるタイミングで前記電力負荷の消費電力を増加させる負荷制御部と
を備え、
前記燃料電池制御部は、前記要求制御部から受け取った電力要求情報で示される消費電力の増加量と前記蓄電池の蓄電量とに基づいて、前記電力負荷が消費電力を増加させるタイミングを、前記要求制御部から受け取った電力要求情報で示される消費電力の増加量に前記燃料電池から供給される電力の増加量が達する時刻よりも前のタイミングにスケジュールし、スケジュールされたタイミングを示す許可通知を送信する燃料電池システム。
【請求項２】
前記燃料電池制御部は、前記蓄電池に更に蓄電することができる場合に、前記要求制御部から受け取った電力要求情報で示される消費電力の増加量に前記燃料電池から供給される発電電力量の増加量が達するまでの立ち上がり期間において、前記蓄電池に充電される電力量と、前記蓄電池から放電される電力量とが略同一になるよう、前記電力負荷が消費電力を増やすタイミングを前記立ち上がり期間内にスケジュールする
請求項１に記載の燃料電池システム。
【請求項３】
前記燃料電池制御部は、前記蓄電池に更に蓄電することができる場合に、前記蓄電池に更に蓄電することができる蓄電可能電力量に更に基づいて、前記立ち上がり期間内において前記蓄電池が満充電に達するか否かを判断し、前記立ち上がり期間中に前記蓄電池が満充電に達すると判断される場合に、前記電力負荷が消費電力を増やすタイミングを、前記立ち上がり期間内における、前記蓄電池が満充電に達する時刻より前のタイミングにスケジュールする
請求項２に記載の燃料電池システム。
【請求項４】
前記燃料電池制御部は、前記蓄電池に蓄電しておくべき目標蓄電量から、前記立ち上がり期間の開始時刻における前記蓄電池の蓄電量を引いた電力量差の大きさが、予め定められた基準値を上回る場合に、前記立ち上がり期間内において前記蓄電池に充電される電力量から前記立ち上がり期間内において前記蓄電池から放電される電力量を引いた値が当該電力量差に近づくよう、前記電力負荷が消費電力を増やすタイミングをスケジュールする
請求項３に記載の燃料電池システム。
【請求項５】
前記要求制御部は、前記電力負荷の消費電力を増やす必要がある場合に、予め消費電力を増加させる期間を示す期間情報を電力要求情報とともに送信し、
前記燃料電池制御部は、前記要求制御部から新たな要求情報を受け取った場合に、前記要求制御部から既に受け取った期間情報及び電力要求情報で示される消費電力の増加量、並びに既に送信した許可通知によって示される前記電力負荷が消費電力を増加すべきタイミングに基づいて時刻毎の消費電力の合計値を判断し、当該時刻毎の消費電力の合計値が、前記燃料電池から供給することのできる最大電力をいずれかの時刻で上回らないことを条件として、前記燃料電池が前記電力負荷に更に電力を供給することができることを判断する
請求項２に記載の燃料電池システム。
【請求項６】
前記燃料電池制御部は、前記要求制御部から既に受け取った期間情報及び電力要求情報で示される消費電力の増加量、並びに既に送信した許可通知によって示される前記電力負荷が消費電力を増加すべきタイミングに基づいて、前記電力負荷の消費電力が減少するタイミング及び当該タイミングにおける消費電力の減少量を判断し、当該消費電力の減少量だけ前記燃料電池の発電電力が減少するまでの立ち下がり期間において、前記蓄電池に充電される電力量と前記蓄電池から放電される電力量とが略同一になるよう、前記燃料電池の発電電力を減少させるタイミングをスケジュールする
請求項５に記載の燃料電池システム。
【請求項７】
前記燃料電池制御部は、前記燃料電池の発電電力を減少させるタイミングから前記電力負荷の消費電力が減少するタイミングまでの期間において前記蓄電池から放電される放電量が、前記燃料電池の発電電力を減少させるタイミングにおける前記蓄電池の蓄電量以下になるよう、前記燃料電池の発電電力を減少させるタイミングをスケジュールする
請求項６に記載の燃料電池システム。
【請求項８】
前記燃料電池制御部は、前記蓄電池に蓄電しておくべき目標蓄電量から前記立ち下がり期間の開始時刻における前記蓄電池の蓄電量を引いた電力量差の大きさが予め定められた基準値を上回る場合に、前記立ち下がり期間内において前記蓄電池に充電される充電電力量から前記立ち下がり期間内において前記蓄電池から放電される放電電力量を引いた値が当該電力量差に近づくよう、前記燃料電池の発電電力を減少させるタイミングをスケジュールする
請求項７に記載の燃料電池システム。
【請求項９】
前記燃料電池の発電電力量及び前記電力負荷の消費電力量の履歴を管理する給電歴管理部
を更に備え、
前記燃料電池制御部は、前記給電歴管理部によって管理されている前記燃料電池の発電電力量及び前記電力負荷の消費電力量の履歴に基づいて、前記蓄電池に蓄電しておくべき蓄電必要量を算出し、算出した蓄電必要量がより大きい場合に、許可通知で示される消費電力を増加すべきタイミングからより早いタイミングで前記燃料電池の発電量を増加させる
請求項４に記載の燃料電池システム。
【請求項１０】
在宅中であるか否かを判断する在宅判断部を更に備え、
前記給電歴管理部は、前記在宅判断部によって在宅中であると判断されたときの前記燃料電池の発電電力量及び前記電力負荷の消費電力量、ならびに在宅中ではないと判断されたときの前記燃料電池の発電電力量及び前記電力負荷の消費電力量の履歴をそれぞれ管理し、
前記燃料電池制御部は、前記在宅判断部によって在宅中であると判断された場合には、前記給電歴管理部に管理されている在宅中の履歴を用いて、前記蓄電池に蓄電しておくべき蓄電必要量を算出し、前記在宅判断部によって在宅中でないと判断された場合には、前記給電歴管理部に管理されている非在宅中の履歴を用いて、前記蓄電池に蓄電しておくべき蓄電必要量を算出する
請求項９に記載の燃料電池システム。
【請求項１１】
前記燃料電池制御部は、許容することのできる消費電力の増加量を、前記負荷制御部へ通知し、
前記負荷制御部は、前記燃料電池制御部から受け取った、許容された範囲内で消費電力を増加させる
請求項１に記載の燃料電池システム。
【請求項１２】
前記電力負荷の動作モードに応じた、前記電力負荷の消費電力を示す動作モードテーブルを更に備え、
前記負荷制御部は、許容された消費電力の範囲内で遷移することのできる動作モードを、前記動作モードテーブルを用いて判断し、当該動作モードに遷移する
請求項１１に記載の燃料電池システム。
【請求項１３】
前記要求制御部は、動作モードを遷移させようとする場合に現在の消費電力と比較して増加させる必要のある消費電力の大きさを、前記動作モードテーブルを参照して判断し、増加必要量を前記燃料電池制御部に送信する
請求項１２に記載の燃料電池システム。
【請求項１４】
燃料電池が発電した電力を消費して動作する電力負荷の消費電力を増やす必要がある場合に、消費電力の増加量を示す電力要求情報を予め送信する要求制御ステップと、
電力要求情報を受け取った場合に、前記燃料電池が前記電力負荷に更に電力を供給することができることを条件として、前記電力負荷が消費電力を増加すべきタイミングを示す許可通知を送信する燃料電池制御ステップと、
許可通知を受け取ったことを条件として、当該許可通知で示されるタイミングで前記電力負荷の消費電力を増加させる負荷制御ステップと
を備え、
前記燃料電池制御ステップは、前記燃料電池の電力を蓄電し、蓄電した電力を前記電力負荷に供給する蓄電池の蓄電量と、電力要求情報で示される消費電力の増加量とに基づいて、前記電力負荷が消費電力を増加させるタイミングを、電力要求情報で示される消費電力の増加量に前記燃料電池から供給される電力の増加量が達する時刻よりも前のタイミングにスケジュールし、スケジュールされたタイミングを示す許可通知を送信する燃料電池システム制御方法。
【請求項１５】
燃料電池と、
前記燃料電池が発電した電力を消費して動作する電力負荷と、
前記燃料電池の発電電力が前記電力負荷の消費電力より大きい場合に、前記燃料電池の電力を蓄電し、前記燃料電池の発電電力が前記電力負荷の消費電力より小さい場合に、蓄電した電力を放電することによって前記電力負荷に電力を供給する蓄電池と、
前記電力負荷の消費電力を増やす必要がある場合に、消費電力の増加量を示す電力要求情報を予め送信する要求制御部と、
前記要求制御部から電力要求情報を受け取った場合に、前記燃料電池が前記電力負荷に更に電力を供給することができることを条件として、前記電力負荷が消費電力を増加すべきタイミングを示す許可通知を送信する燃料電池制御部と、
前記燃料電池制御部から許可通知を受け取ったことを条件として、当該許可通知で示されるタイミングで前記電力負荷の消費電力を増加させる負荷制御部と
を備え、
前記燃料電池制御部は、前記要求制御部から受け取った電力要求情報で示される消費電力の増加量と前記蓄電池の蓄電量とに基づいて、前記電力負荷が消費電力を増加させるタイミングを、前記要求制御部から受け取った電力要求情報で示される消費電力の増加量に前記燃料電池から供給される電力の増加量が達する時刻よりも前のタイミングにスケジュールし、スケジュールされたタイミングを示す許可通知を送信する建造物。
【手続補正２】
【補正対象書類名】明細書
【補正対象項目名】０００８
【補正方法】変更
【補正の内容】
【０００８】
前記燃料電池制御部は、前記蓄電池に蓄電しておくべき目標蓄電量から、前記立ち上がり期間の開始時刻における前記蓄電池の蓄電量を引いた電力量差の大きさが、予め定められた基準値を上回る場合に、前記立ち上がり期間内において前記蓄電池に充電される電力量から前記立ち上がり期間内において前記蓄電池から放電される電力量を引いた値が当該電力量差に近づくよう、前記電力負荷が消費電力を増やすタイミングをスケジュールしてよい。
【手続補正３】
【補正対象書類名】明細書
【補正対象項目名】０００９
【補正方法】変更
【補正の内容】
【０００９】
前記要求制御部は、前記電力負荷の消費電力を増やす必要がある場合に、予め消費電力を増加させる期間を示す期間情報を電力要求情報とともに送信し、前記燃料電池制御部は、前記要求制御部から新たな要求情報を受け取った場合に、前記要求制御部から既に受け取った期間情報及び電力要求情報で示される消費電力の増加量、並びに既に送信した許可通知によって示される前記電力負荷が消費電力を増加すべきタイミングに基づいて時刻毎の消費電力の合計値を判断し、当該時刻毎の消費電力の合計値が、前記燃料電池から供給することのできる最大電力をいずれかの時刻で上回らないことを条件として、前記燃料電池が前記電力負荷に更に電力を供給することができることを判断してよい。
【手続補正４】
【補正対象書類名】明細書
【補正対象項目名】００１０
【補正方法】変更
【補正の内容】
【００１０】
前記燃料電池制御部は、前記要求制御部から既に受け取った期間情報及び電力要求情報で示される消費電力の増加量、並びに既に送信した許可通知によって示される前記電力負荷が消費電力を増加すべきタイミングに基づいて、前記電力負荷の消費電力が減少するタイミング及び当該タイミングにおける消費電力の減少量を判断し、当該消費電力の減少量だけ前記燃料電池の発電電力が減少するまでの立ち下がり期間において、前記蓄電池に充電される電力量と前記蓄電池から放電される電力量とが略同一になるよう、前記燃料電池の発電電力を減少させるタイミングをスケジュールしてよい。
【手続補正５】
【補正対象書類名】明細書
【補正対象項目名】００１１
【補正方法】変更
【補正の内容】
【００１１】
前記燃料電池制御部は、前記燃料電池の発電電力を減少させるタイミングから前記電力負荷の消費電力が減少するタイミングまでの期間において前記蓄電池から放電される放電量が、前記燃料電池の発電電力を減少させるタイミングにおける前記蓄電池の蓄電量以下になるよう、前記燃料電池の発電電力を減少させるタイミングをスケジュールしてよい。
【手続補正６】
【補正対象書類名】明細書
【補正対象項目名】００１２
【補正方法】変更
【補正の内容】
【００１２】
前記燃料電池制御部は、前記蓄電池に蓄電しておくべき目標蓄電量から前記立ち下がり期間の開始時刻における前記蓄電池の蓄電量を引いた電力量差の大きさが予め定められた基準値を上回る場合に、前記立ち下がり期間内において前記蓄電池に充電される充電電力量から前記立ち下がり期間内において前記蓄電池から放電される放電電力量を引いた値が当該電力量差に近づくよう、前記燃料電池の発電電力を減少させるタイミングをスケジュールしてよい。
【手続補正７】
【補正対象書類名】明細書
【補正対象項目名】００６０
【補正方法】変更
【補正の内容】
【００６０】
例えば、消費電力は１０ミリ秒程度の時間で変化する場合があるが、燃料電池４０の発電量を変動させるには、一般に数百ミリ秒程度の時間が必要である。したがって、燃料電池４０の発電電力を変動させると、燃料電池４０の発電電力値が需要電力値に達するまでの間に発電される電力が無駄になる。つまり、電力負荷４４の消費電力の増加に対応すべく燃料電池４０の発電する電力を増加させたとき、燃料電池４０の発電する電力が、電力負荷４４が必要とする電力に達するまでの間は、電力負荷４４はその電力を有効に消費できないため、その間に燃料電池４０が発電する電力が無駄になる。また電力負荷４４の消費電力の減少に対応すべく燃料電池４０の発電する電力を減少させたときにも、燃料電池４０の発電する電力が、減少した消費電力に達するまでの間に発電される電力は、消費されずに無駄になる。また、電力需要の変動に合わせて燃料電池４０を新たに起動する必要がある場合、改質器を有する燃料電池４０が停止状態から起動するまでには、改質器を昇温するためのエネルギーが必要である。したがって、燃料電池４０の発電量の変動が大きいと、エネルギーの無駄が生じることになる。これに対し、本実施形態によれば、予め定められた発電効率を上回るよう燃料電池４０を制御しつつ、燃料電池４０が発電する発電量の変動を小さくすることができるので、発電効率を高く保った状態で燃料電池４０を運転できる。
【手続補正８】
【補正対象書類名】明細書
【補正対象項目名】００９３
【補正方法】変更
【補正の内容】
【００９３】
燃料電池制御部５０は、蓄電池８２に蓄電しておくべき目標蓄電量から、立ち上がり期間の開始時刻における蓄電池８２の蓄電量を引いた電力量差の大きさが、予め定められた基準値を上回る場合に、立ち上がり期間内において蓄電池８２に充電される電力量から立ち上がり期間内において蓄電池８２から放電される電力量を引いた値が当該電力量差に近づくよう、電力負荷４４が消費電力を増やすタイミングをスケジュールする。この場合、蓄電池８２の蓄電量を目標蓄電量の近くで時間的に推移させることができるので、蓄電池８２の容量を削減することができる。したがって電力の供給コストを削減することができるとともに、適切な蓄電量を確保しておくことができる。
【手続補正９】
【補正対象書類名】明細書
【補正対象項目名】００９４
【補正方法】変更
【補正の内容】
【００９４】
要求制御部６６は、電力負荷４４の消費電力を増やす必要がある場合に、予め消費電力を増加させる期間を示す期間情報を電力要求情報とともに送信する。そして、燃料電池制御部５０は、要求制御部６６から新たな電力要求情報を受け取った場合に、要求制御部６６から既に受け取った期間情報及び電力要求情報で示される消費電力の増加量、並びに既に送信した許可通知によって示される電力負荷４４が消費電力を増加すべきタイミングに基づいて時刻毎の消費電力の合計値を判断し、当該時刻毎の消費電力の合計値が、燃料電池４０から供給することのできる最大電力をいずれかの時刻で上回らないことを条件として、燃料電池４０が電力負荷４４に更に電力を供給することができることを判断する。このように、燃料電池制御部５０は、電力負荷４４に許可した電力の消費量の合計値を各時刻で判断することができるので、新たに要求された電力要求に燃料電池４０が応じることができるか否かを適切に判断することができる。
【手続補正１０】
【補正対象書類名】明細書
【補正対象項目名】００９５
【補正方法】変更
【補正の内容】
【００９５】
そして、燃料電池制御部５０は、要求制御部６６から既に受け取った期間情報及び電力要求情報で示される消費電力の増加量、並びに既に送信した許可通知によって示される電力負荷４４が消費電力を増加すべきタイミングに基づいて、電力負荷４４の消費電力が減少するタイミング及び当該タイミングにおける消費電力の減少量を判断し、当該消費電力の減少量だけ燃料電池４０の発電電力が減少するまでの立ち下がり期間において、蓄電池８２に充電される電力量と蓄電池８２から放電される電力量とが略同一になるよう、燃料電池４０の発電電力を減少させるタイミングをスケジュールする。燃料電池制御部５０は、電力負荷４４の消費電力が減少するタイミングを判断することができるので、電力負荷４４の消費電力が減少するタイミングを含む、燃料電池４０の発電電力の立ち下がり期間の前後においても、蓄電池８２の蓄電量を略同一にすることができる。
【手続補正１１】
【補正対象書類名】明細書
【補正対象項目名】００９６
【補正方法】変更
【補正の内容】
【００９６】
また、燃料電池制御部５０は、燃料電池４０の発電電力を減少させるタイミングから電力負荷４４の消費電力が減少するタイミングまでの期間において蓄電池８２から放電される放電量が、燃料電池４０の発電電力を減少させるタイミングにおける蓄電池８２の蓄電量以下になるよう、燃料電池４０の発電電力を減少させるタイミングをスケジュールする。このため、蓄電池８２の蓄電量が下限値に近い場合でも、蓄電池８２が放電を完了する時刻の近傍で電力負荷４４が電力の消費を終了することによって、蓄電池８２の充電が開始される。
【手続補正１２】
【補正対象書類名】明細書
【補正対象項目名】００９７
【補正方法】変更
【補正の内容】
【００９７】
また、燃料電池制御部５０は、蓄電池８２に蓄電しておくべき目標蓄電量から立ち下がり期間の開始時刻における蓄電池８２の蓄電量を引いた電力量差の大きさが予め定められた基準値を上回る場合に、立ち下がり期間内において蓄電池８２に充電される充電電力量から立ち下がり期間内において蓄電池８２から放電される放電電力量を引いた値が当該電力量差に近づくよう、燃料電池４０の発電電力を減少させるタイミングをスケジュールする。この場合、蓄電池８２の蓄電量を目標蓄電量の近くで推移させることができるので、蓄電池８２の容量を削減することができる。したがって電力コストを削減することができるとともに、適切な蓄電量を予め確保しておくことができる。
【手続補正１３】
【補正対象書類名】明細書
【補正対象項目名】０１０１
【補正方法】変更
【補正の内容】
【０１０１】
また、燃料電池制御部５０は、ΔＰ１５０の電力を減少させるのに要する燃料電池４０の立ち下がり期間（ｔ１５６−ｔ１５４）を算出する。そして、燃料電池制御部５０は、立ち下がり期間内において、蓄電池８２への充電量と放電量が略同一になるよう、燃料電池４０の発電電力の減少を開始させる時刻ｔ１５４を決定する。なお、立ち下がり期間とは、燃料電池４０に供給する水素の量が、燃料電池４０が目標とする発電電力に応じた量に達するまでの期間であってよい。以上説明したように、燃料電池４０の発電電力の立ち上がり期間および／または立ち下がり期間の前後において、蓄電池８２の蓄電量を略同一にすることができる。
【手続補正１４】
【補正対象書類名】明細書
【補正対象項目名】０１０２
【補正方法】変更
【補正の内容】
【０１０２】
なお、燃料電池制御部５０は、燃料電池４０の発電電力を増加させるときの発電電力の時間発展を、発電電力の増加量に対応付けて燃料電池４０毎に予め格納しておいてよく、燃料電池４０の発電電力を減少させるときの発電電力の時間発展を、発電電力の減少量に対応付けて燃料電池４０毎に予め格納しておいてよい。他にも、燃料電池制御部５０は、燃料電池４０の発電量を増加させた場合の発電電力の時間発展を実測して、当該実測結果を発電電力の増加量に対応付けて燃料電池４０毎に格納してもよい。これにより、燃料電池制御部５０は、蓄電池８２への充電電力と蓄電池８２からの放電電力の時間発展を適切に見積もることができる。
【手続補正１５】
【補正対象書類名】明細書
【補正対象項目名】０１０３
【補正方法】変更
【補正の内容】
【０１０３】
図１４は、電力負荷４４の消費電力、燃料電池４０の発電電力、および蓄電池８２の蓄電量の時間発展の他の一例を示す図である。本図では、燃料電池４０の発電電力を立ち上げる時刻ｔ１６１において蓄電池８２の蓄電量が上限値Ｑｍａｘの近傍である場合、及び燃料電池４０の発電電力を立ち下げる時刻ｔ１６３において蓄電池８２の蓄電量が下限値Ｑｍｉｎの近傍である場合における燃料電池制御部５０の動作について説明する。燃料電池制御部５０は、燃料電池４０の発電電力の立ち上がり期間内に、蓄電池８２の蓄電量がＱｍａｘに達すると判断される場合には、Ｑｍａｘに達すると予測される時刻ｔ１６２の近傍で電力負荷４４の消費電力を開始させるべく、許可通知を送信する。また、燃料電池制御部５０は、燃料電池４０の発電電力の立ち下がり期間内に、蓄電池８２の蓄電量がＱｍｉｎに達すると判断される場合には、Ｑｍｉｎに達すると予測される時刻ｔ１６４の近傍で燃料電池４０の発電電力の減少を開始させるよう、燃料電池４０の発電電力を減少させる時刻ｔ１６３を決定する。
【手続補正１６】
【補正対象書類名】明細書
【補正対象項目名】０１０５
【補正方法】変更
【補正の内容】
【０１０５】
図１６は、電力負荷４４の消費電力、燃料電池４０の発電電力、および蓄電池８２の蓄電量の時間発展のさらなる他の一例を示す図である。本例では、燃料電池制御部５０は、燃料電池４０の発電電力を立ち下げる時刻ｔ１８１における蓄電池８２の蓄電量Ｑ１８１より、燃料電池４０の発電電力が立ち下がった時刻ｔ１８３における蓄電池８２の蓄電量を目標蓄電量Ｑｔに近づけるべく、燃料電池４０の発電電力を立ち下げる時刻ｔ１８１をスケジュールする。この場合、燃料電池制御部５０は、時刻ｔ１８２から時刻ｔ１８３までの期間における蓄電池８２への充電電力量から、時刻ｔ１８１から時刻ｔ１８２までの期間における蓄電池８２からの放電電力量を引いた値が、目標蓄電量Ｑｔから時刻ｔ１８１における蓄電池８２の蓄電量Ｑ１８１を引いた値に近づくよう、燃料電池４０の発電電力を立ち下げる時刻ｔ１８１を決定する。これにより、燃料電池制御部５０は、蓄電池８２の蓄電量を目標蓄電量Ｑｔの近傍で推移させることができる。
【手続補正１７】
【補正対象書類名】明細書
【補正対象項目名】０１０７
【補正方法】変更
【補正の内容】
【０１０７】
そして、燃料電池制御部５０は、給電歴管理部８４に格納された時間帯毎の発電電力量と消費電力量との差と、蓄電池８２の蓄電量とに基づいて、所定時間後の蓄電池８２の蓄電量を予測する。そして燃料電池制御部５０は、予測された所定時間後の蓄電池８２の蓄電量から、予め定められた基準蓄電量を引いた値がより小さい場合に、より多くの蓄電量が必要であると判断する。この場合、燃料電池制御部５０は、燃料電池４０の発電電力の立ち上がり期間に蓄電池８２に蓄電される正味の蓄電量をより大きくすべく、電力負荷４４に電力消費を開始させるタイミングを決定する。また、燃料電池制御部５０は、燃料電池４０の発電電力の立ち下がり期間に蓄電池８２に蓄電される正味の蓄電量をより大きくすべく、燃料電池４０の発電電力量を減少させるタイミングを決定する。
【手続補正１８】
【補正対象書類名】図面
【補正対象項目名】図７
【補正方法】変更
【補正の内容】
【図７】
2006313671.tif 000001
【手続補正１９】
【補正対象書類名】図面
【補正対象項目名】図１６
【補正方法】変更
【補正の内容】
【図１６】
2006313671.tif 000002